【手続補正書】
【提出日】平成18年4月21日(2006.4.21)
【手続補正１】
【補正対象書類名】特許請求の範囲
【補正対象項目名】全文
【補正方法】変更
【補正の内容】
【特許請求の範囲】
【請求項１】
複数の種別の信号が発生し得る無線周波数帯域の使用を管理する方法であって、
複数の信号種別に関連する活動が発生し得る無線周波数帯域での無線周波数エネルギーを監視することであって、それによって前記周波数帯域での活動を表すスペクトル活動情報を生成し、前記無線周波エネルギーを表す情報を生成する、無線周波数エネルギーを監視することを含む、無線周波数帯域の使用を管理する方法。
【請求項２】
前記監視することは、前記周波数帯域を走査して、前記無線周波数帯域の異なる部分の無線周波数エネルギーを受信することをさらに含む、請求項１記載の方法。
【請求項３】
前記監視することは、時間間隔中に前記無線周波数帯域で受信した無線周波数エネルギーに関連するパワースペクトル情報を生成することを含み、
前記パワースペクトル情報から、前記無線周波数帯域において検出された無線周波数エネルギーのパルスの特徴を記述した信号パルス情報を生成するステップをさらに含む、請求項１記載の方法。
【請求項４】
前記信号パルス情報を生成するステップは、前記パワースペクトル情報からの前記周波数帯域において検出された信号パルスのパルス持続時間、パルス中心周波数、パルス帯域幅、およびパルス間の時間間隔のうちの１つまたは複数を含む信号パルスデータを生成することを含む、請求項３記載の方法。
【請求項５】
前記生成するステップは、時間の経過に伴って前記無線周波数帯域において発生すると判断された信号パルスの（ｉ）中心周波数、（ｉｉ）持続時間、（ｉｉｉ）帯域幅、および（ｉｖ）パルス間の時間のうちの少なくとも１つのヒストグラムを生成することを含む、請求項４記載の方法。
【請求項６】
前記周波数帯域において時間の経過に伴って検出された信号パルスの信号パルスデータを累積するステップをさらに含む、請求項４記載の方法。
【請求項７】
累積された信号パルスデータに基づいて、前記周波数帯域における信号を分類するステップをさらに含み、
前記生成するステップは、前記周波数帯域において発生すると判断された信号の種別に基づく、請求項６記載の方法。
【請求項８】
前記分類された信号の特徴に関連する情報を表示するステップをさらに含む、請求項７記載の方法。
【請求項９】
前記分類するステップは、前記周波数帯域において発生すると判断された信号種別が、前記周波数帯域で動作している１つまたは複数の装置の動作に干渉する可能性があるか否かを判断することを含む、請求項７記載の方法。
【請求項１０】
推奨情報を生成することであって、それによって前記装置に干渉すると判断された前記信号に起因する前記装置のパフォーマンスの低下を回避するように前記無線周波数帯域で動作している装置に変更を行うことをユーザに指示する、推奨情報を生成することをさらに含む、請求項９記載の方法。
【請求項１１】
前記制御信号を生成するステップをさらに含み、制御信号を生成することを含み、
それによって前記無線周波数帯域で動作している装置を制御して、前記無線周波数帯域において発生すると判断された前記信号の周波数および時間を避けるように送信をスケジューリングする、請求項１０記載の方法。
【請求項１２】
前記無線周波数帯域における前記装置の動作に干渉すると判断された前記信号のソースの位置を求めるステップをさらに含む、請求項９記載の方法。
【請求項１３】
前記無線周波数帯域における前記装置の動作に干渉すると判断された前記信号の前記ソースの位置を表示することをさらに含む、請求項１２記載の方法。
【請求項１４】
時間の経過に伴い前記周波数帯域において受信した無線周波数信号の特徴に関連する統計を生成するステップをさらに含み、
前記統計は、前記周波数帯域での周波数範囲の（ｉ）前記周波数範囲の平均パワー、（ｉｉ）前記周波数範囲の最大パワー、（ｉｉｉ）および前記周波数範囲の活動のデューティサイクル測定を含む、請求項１記載の方法。
【請求項１５】
動作の周波数チャネル、送信データレート、パケット断片サイズ、他の信号への干渉を回避するような送信のスケジューリング、送信パワー、パケット断片化しきい値、およびクリアチャネルアクセスしきい値からなる群から選択される、前記周波数帯域で動作している装置の１つまたは複数の動作パラメータを制御する制御信号を生成するステップをさらに含む、請求項１記載の方法。
【請求項１６】
前記制御信号を生成するステップは、関連するクライアントステーション装置をそれぞれ有する複数のアクセスポイントのうちの少なくとも１つの制御信号を生成することを含み、
前記制御信号は、前記複数のアクセスポイントへのチャネルの割り当て、および前記複数のアクセスポイントへの関連するステーションの割り当てのうちの少なくとも１つを制御する、請求項１５記載の方法。
【請求項１７】
他の信号種別よりも或る信号種別の前記周波数帯域の使用を優先するポリシー情報に基づいて、前記周波数帯域における１つまたは複数の装置の動作を制御する信号を生成することをさらに含む、請求項１記載の方法。
【請求項１８】
前記制御信号を生成するステップは、規制機関によって指定される前記周波数帯域の一次ユーザによる使用を前記周波数帯域の他のユーザによる使用よりも優先するポリシー情報に基づいて、前記周波数帯域における１つまたは複数の装置の動作を制御する信号を生成することを含む、請求項１７記載の方法。
【請求項１９】
前記制御信号を生成するステップは、前記スペクトル活動情報によりレーダ信号が前記周波数帯域に存在することが示される場合、前記周波数帯域での装置による信号の送信を拒絶する信号を生成することを含む、請求項１７記載の方法。
【請求項２０】
前記制御信号を生成するステップは、前記周波数帯域に他の任意の信号が存在する場合、装置の送信データレートを最大化するポリシーに基づいて、前記周波数帯域において装置により送信される信号のデータレートを調整する信号を生成することを含む、請求項１７記載の方法。
【請求項２１】
前記無線周波数帯域で動作する新しい装置および／または規制方針を考慮するように前記ポリシー情報を更新するステップをさらに含む、請求項１７記載の方法。
【請求項２２】
前記スペクトル活動情報に基づくことにより、前記周波数帯域で動作している１つまたは複数のワイヤレスネットワークに対して実行されている恐れのあるサービス不能攻撃を検出するステップをさらに含み、
前記情報を生成することは、前記実行されている恐れのあるサービス不能攻撃の無線周波数特徴を記述する情報を生成することを含む、請求項１記載の方法。
【請求項２３】
前記実行されている恐れのあるサービス不能攻撃を検出するステップは、前記スペクトル活動情報を解析して、実行されている恐れのあるサービス不能攻撃を示す雑音信号を検出することを含む、請求項２２記載の方法。
【請求項２４】
許可を受けた装置による送信に使用されている装置の識別子と突き合わせた前記スペクトル活動情報に基づいて、前記周波数帯域で動作している、前記装置の信号パルス特徴情報を記憶するステップと、
送信において検出された識別子に対応する、前記周波数帯域で送信している装置の信号パルス特徴を、前記識別子に関連する、記憶されている信号パルス特徴と比較するステップと、
送信に関連する信号パルス特徴がその識別子に記憶されている前記信号パルス特徴に一致しない場合、装置が許可を受けていない装置であると判断するステップと
をさらに含む、請求項１記載の方法。
【請求項２５】
無線周波数帯域での無線周波数エネルギーを受信し、前記無線周波数エネルギーを表す信号を処理する装置であって、
ａ．複数の種別の信号が発生し得る無線周波数帯域における無線周波数エネルギーを受信する無線受信器と、
ｂ．前記無線受信器に結合され、時間間隔中の前記無線周波数帯域の少なくとも一部の受信無線周波数エネルギーを解析するスペクトル解析器と、
ｃ．前記スペクトル解析器に結合され、１つまたは複数の特徴に見合う無線周波数エネルギーの信号パルスを検出する信号検出器と、
ｄ．前記スペクトル解析器および前記信号解析器に結合されて出力を受け取るプロセッサであって、前記無線周波数帯域での活動を監視するようにプログラムされ、前記スペクトル解析器および前記信号検出器により生成されたデータに基づいて、前記無線周波数帯域で発生すると判断された活動の種別を記述する情報を生成するプロセッサと
を備える装置。
【請求項２６】
前記信号検出器は、
無線周波数エネルギーのピークを検出し、検出したピークを表す出力信号を生成するピーク検出器回路と、
前記ピーク検出器に接続され、前記ピーク検出器回路からの前記出力信号を経時にわたり調べて、それぞれの帯域幅、中心周波数、および持続時間のうちの１つまたは複数に従って無線周波数エネルギーのパルスを検出する少なくとも１つのパルス検出器回路と
を備える、請求項２５記載の装置。
【請求項２７】
前記ピーク検出器に接続された複数のパルス検出器回路をさらに備え、
前記パルス検出器回路はそれぞれ、前記ピーク検出器回路からの前記出力信号を経時にわたり調べて、それぞれの帯域幅、中心周波数、および持続時間のうちの１つまたは複数に従って無線周波数エネルギーのパルスを検出する、請求項２５記載の装置。
【請求項２８】
前記スペクトル解析器により生成された統計を記憶するバッファをさらに備え、
前記スペクトル解析器は、前記周波数帯域での周波数範囲の平均パワー、デューティサイクル、および最大パワーのうちの１つまたは複数を含む統計を生成する、請求項２５記載の装置。
【請求項２９】
複数の種別の信号が発生し得る無線周波数帯域での活動に関連するデータを解析し、スペクトル活動情報を生成する少なくとも１つのプロセスにアプリケーションプログラムをインタフェースする方法であって、
ａ．前記少なくとも１つのプロセスによりスペクトル解析機能に対する要求を生成するステップと、
ｂ．前記少なくとも１つのプロセスにより生成された前記スペクトル活動情報を受け取るステップと
を含むアプリケーションプログラムをインタフェースする方法。
【請求項３０】
前記要求を生成するステップは、スペクトル解析機能の種別の識別子を生成することを含む、請求項２９記載の方法。
【請求項３１】
前記要求を生成するステップは、
（ａ）スペクトル解析機能を実行すべき前記無線周波数帯域の特定の部分の周波数位置および帯域幅、および
（ｂ）前記無線周波数帯域において発生を監視すべき無線周波数エネルギーの特徴
のうちの少なくとも１つを記述するデータを生成することを含む、請求項２９記載の方法。
【請求項３２】
前記無線周波数帯域において監視すべき無線周波数エネルギーの特徴を記述するデータを生成することは、前記無線周波数帯域で監視すべき無線周波数エネルギーのパルスに関連する（ｉ）中心周波数、（ｉｉ）持続時間、（ｉｉｉ）帯域幅、および（ｉｖ）パルス間の時間のうちの少なくとも１つの範囲を生成することを含む、請求項３１記載の方法。
【請求項３３】
前記要求を生成するステップは、
（ａ）前記無線周波数帯域における無線周波数エネルギーの周波数の関数としてのパワー、
（ｂ）無線周波数帯域における無線周波数エネルギーの周波数の関数としてのパワーの統計解析、
（ｃ）前記無線周波数帯域において発生すると判断された指定の特徴を有する信号パルス、
（ｄ）少なくとも１つの範囲を満たす、前記無線周波数帯域で発生すると判断された無線周波数エネルギーのパルスの（ｉ）中心周波数、（ｉｉ）持続時間、（ｉｉｉ）帯域幅、および（ｉｖ）パルス間の時間のうちの少なくとも１つのヒストグラム、
（ｅ）前記無線周波数帯域での信号の活動に関連するイベントの検出、
（ｆ）前記無線周波数帯域での特定の状況が検出されるときの受信無線周波数エネルギーのデジタルサンプル
のうちの少なくとも１つに関連するデータの要求を生成することを含む、請求項２９記載の方法。
【請求項３４】
前記スペクトル活動情報を受け取るステップは、
（ａ）（ｉ）平均パワーレベル、（ｉｉ）前記無線周波数帯域の特定の部分における複数の周波数ビンの活動の最大パワーレベル、（ｉｉｉ）活動を有する周波数ビンにおける活動の測定、のうちの少なくとも１つを含む前記無線周波数帯域の前記特定の部分に関連する統計、
（ｂ）少なくとも１つの範囲を満たす前記無線周波数帯域において発生すると判断された信号パルスの（ｉ）中心周波数、（ｉｉ）持続時間、（ｉｉｉ）帯域幅、および（ｉｖ）開始時間のうちの少なくとも１つを含む信号パルスデータ、
（ｄ）前記少なくとも１つの範囲を満たす前記無線周波数帯域において発生すると判断された信号パルスの（ｉ）中心周波数、（ｉｉ）持続時間、（ｉｉｉ）帯域幅、および（ｉｖ）パルス間の時間のうちの少なくとも１つのヒストグラム、
（ｅ）前記無線周波数帯域における特定の状況が検出される場合、受信無線周波数エネルギーのデジタルサンプル、
（ｆ）周波数の関数としての前記無線周波数帯域の指定部分または全体のパワー、
（ｇ）（ｉ）イベントの発生時間、（ｉｉ）イベントの種別、（ｉｉｉ）信号の種別、（ｉｖ）イベントの記述的情報、（ｖ）検出された信号に関連するパワーレベル、帯域幅、および中心周波数のうちのひとつまたは複数を含む、前記イベントに関連する技術的詳細、ならびに（ｖｉ）前記無線周波数帯域で動作している装置上の前記イベントのパフォーマンスを低下させる可能性がある性質を示すイベントに関連するアラートインジケーションのうちの少なくとも１つを含むイベントの発生
のうちの１つまたは複数のデータを受け取ることを含む、請求項３３記載の方法。
【請求項３５】
前記要求を生成するステップは、前記無線周波数帯域における活動が監視され、イベントが報告される信号の特徴を記述したデータを生成することを含む、請求項３４記載の方法。
【請求項３６】
無線周波数帯域で発生している活動に関連する情報を生成する装置であって、
ａ．時間間隔中に前記無線周波数帯域の少なくとも一部で受信した無線周波数エネルギーのパワー値を計算するスペクトル解析器と、
ｂ．前記スペクトル解析器に結合され、１つまたは複数の特徴を満たす無線周波数エネルギーの信号パルスを検出する信号検出器と
を備え、
前記信号検出器は、
時間間隔中の前記パワー値から１つまたは複数のピークを検出するピーク検出器回路であって、ピークは、所定数の連続した周波数においてしきい値を超えるパワー値に対応する、ピーク検出器回路と、
前記ピーク検出器回路に結合され、前記ピーク検出器によって検出された１つまたは複数のピークに基づいて、１つまたは複数の特徴を満たす信号パルスを検出する少なくとも１つのパルス検出器回路と
を備える、無線周波数帯域で発生している活動に関連する情報を生成する装置。
【請求項３７】
前記ピーク検出器回路は、各周波数におけるパワー値をピークしきい値と比較して、いずれの周波数が前記ピークしきい値を超えるかを識別するコンパレータを備える、請求項３６記載の装置。
【請求項３８】
前記ピーク検出器回路は、前記ピークしきい値を超える連続した周波数のセットの中から最大パワー値を特定する、請求項３７記載の装置。
【請求項３９】
前記パルス検出器回路は、いずれの周波数が前記ピークしきい値を超えるかと、前記ピークしきい値を超える連続した周波数のセットの最大パワー値とを特定する前記ピーク検出器回路からの情報を入力として受け取り、その情報が前記１つまたは複数の特徴を満たすか否かを判断する、請求項３７記載の装置。
【請求項４０】
前記パルス検出器回路は、前記ピーク検出器回路から検出されたピークを記述する情報の中心周波数、持続時間、および帯域幅のうちの１つまたは複数が対応する範囲内にある場合、前記ピーク検出器回路の前記出力から信号パルスを検出する、請求項３９記載の装置。
【請求項４１】
前記パルス検出器回路は、前記ピーク検出器回路により生成される前記情報から信号パルスを宣言するために、中心周波数、持続時間、および帯域幅のうちの１つまたは複数の範囲を調整するように構成可能である、請求項３６記載の装置。
【請求項４２】
前記パルス検出器回路は、中心周波数、帯域幅、開始時間、および持続時間のうちの１つまたは複数を含む、検出された信号パルスそれぞれのパルスイベントデータを出力する、請求項３６記載の装置。
【請求項４３】
前記パルス検出器回路に結合され、前記パルス検出器回路により出力されるパルスイベントデータを受け取り、前記パルス検出器回路により検出されたパルスのパルスイベントデータを経時にわたり累積するプロセッサをさらに備える、請求項３６記載の装置。
【請求項４４】
前記プロセッサはパルスイベントデータを累積し、経時にわたり累積されたパルスイベントデータの１つまたは複数のヒストグラムを構築し、
前記１つまたは複数のヒストグラムは、
検出された信号パルスに所与の中心周波数が観察された時間の割合を追跡する中心周波数ヒストグラム、
検出された信号パルスに所与の帯域幅が観察された時間の割合を追跡する帯域幅ヒストグラム、
検出された信号パルスに所与の持続時間（複数可）が観察された時間の割合を追跡するパルス持続時間ヒストグラム、
所与の時間持続時間（複数可）が信号パルス間に観察された時間の割合を追跡するパルス間時間ヒストグラム、および
いくつかの異なる信号パルスが同時に発生するときを追跡するアクティブ送信数ヒストグラム
からなる群から選択される、請求項４３記載の装置。
【請求項４５】
トリガ信号に応答して、前記無線周波数帯域で受信した無線周波数エネルギーのサンプルを表すデジタル信号を記憶するメモリをさらに備える、請求項３６記載の装置。
【請求項４６】
前記メモリは、前記トリガ信号の発生に関連する時間を特定するタイムスタンプ信号をさらに記憶する、請求項４５記載の装置。
【請求項４７】
前記スペクトル解析器は、前記周波数帯域の少なくとも一部における活動を表すデジタル信号を入力として受け取り、前記ピーク検出器に入力として供給される、時間間隔中の複数の周波数ビンのパワー値を計算するパワー計算回路を備える、請求項３６記載の装置。
【請求項４８】
前記スペクトル解析器は、前記複数の周波数の前記パワー値から、
時間間隔にわたる各周波数ビンの平均パワー、
各周波数ビンの前記パワーが前記パワーしきい値を超える回数の各時間間隔での連続合計を含むデューティ計数、
現在の時間間隔および前の時間間隔での各周波数ビンの最大パワー、ならびに
特定数のピークが検出された時間間隔数の連続計数
からなる群から選択される１つまたは複数のデータを計算する、請求項４７記載の装置。
【請求項４９】
メモリをさらに備え、
前記信号検出器回路は、特定種別のパルスの検出に応答して、１つまたは複数の時間間隔に対する前記パワー計算回路の前記出力を前記メモリに書き込ませるために、結合されたトリガ信号を出力する、請求項３６記載の装置。